(57)【要約】      （修正有）【課題】紙幣の引き抜きを確実に防止することができるとともに、部品点数が少なく安価に構成することができる。【解決手段】紙幣搬送路Ｂを間に対向する通路面３1ａ，４1ａの一方に紙幣Ａに搬送方向とは反対方向に係止する係止部材４３を設けることにより、係止部材４３によって紙幣Ａの引き抜きを阻止するとともに、紙幣Ａが係止部材４３の先端と他方の通路面３1ａとの間を通り抜けた場合には、係止部材４３によって他方の通路面３1ａ側に押圧された紙幣Ａを他方の通路面３1ａに設けた段差部３1ｃに係止させることにより、段差部３1ｃによって紙幣Ａの引き抜きを阻止するようにしたので、紙幣Ａの引き抜きによる不正行為を確実に防止することができる。【選択図】図１０
2005004375.tif 000002
【特許請求の範囲】
【請求項１】
紙幣投入口から投入された紙幣を識別する識別手段と、紙幣を所定の紙幣搬送路を介して識別装置本体内の所定位置まで搬送する搬送手段と、所定位置まで搬送された紙幣を収納する紙幣収納部とを備えた紙幣識別装置において、
前記紙幣搬送路を間にして対向する通路面の一方に他方の通路面に対して進退自在に設けられ、紙幣搬送路内の紙幣に紙幣搬送方向の反対方向に係止可能であって先端を他方の通路面側に圧接可能な係止部材を備え、
他方の通路面には紙幣搬送路内の紙幣に紙幣搬送方向の反対方向に係止可能な段差部を設けた
ことを特徴とする紙幣識別装置。
【請求項２】
前記段差部を他方の通路面における紙幣搬送方向の二箇所以上に設けた
ことを特徴とする請求項１記載の紙幣識別装置。
【請求項３】
前記段差部を他方の通路面のほぼ全幅に亘って形成した
ことを特徴とする請求項１または２記載の紙幣識別装置。
【請求項４】
前記他方の通路面に係止部材の先端側を受容する孔を設けた
ことを特徴とする請求項１、２または３記載の紙幣識別装置。
【請求項５】
前記係止部材を自重によって他方の通路面側に圧接可能に形成した
ことを特徴とする請求項１、２、３または４記載の紙幣識別装置。
【発明の詳細な説明】
【０００１】
【発明の属する技術分野】
本発明は、紙幣の使用可能な自動販売機等に用いられる紙幣識別装置に関するものである。
【０００２】
【従来の技術】
従来、この種の紙幣識別装置としては、紙幣投入口から投入された紙幣を識別する識別部と、紙幣を識別装置本体内の所定位置まで搬送する搬送機構と、所定位置まで搬送した紙幣を所定方向に押圧する押圧機構と、押圧機構によって押圧された紙幣を受容する紙幣収納ユニットとを備えたものが知られている（例えば、特許文献１参照。）。
【０００３】
ところが、前記紙幣識別装置を備えた自動販売機においては、端部にテープやピアノ線、テグス等を接続した真正の紙幣を投入し、識別部によって一旦真正と判別させて商品を購入した後、紙幣収納ユニットに収納された紙幣をテープ等によって外部に引き抜くといった不正行為が行われる場合がある。
【０００４】
そこで、このような手段による不正行為を防止するため、紙幣搬送路を間にして対向する一対の通路面にそれぞれ先端を紙幣搬送方向に向けた複数の係止爪を突設し、引き抜こうとする紙幣を何れかの係止爪に係止させて紙幣の引き抜きを阻止するようにしたものが知られている（例えば、特許文献２参照。）。
【０００５】
【特許文献１】
米国特許第５９８８３４５号明細書
【特許文献２】
登録実用新案第３００２９４５号公報
【０００６】
【発明が解決しようとする課題】
しかしながら、紙幣搬送路内に複数の係止爪を突設した場合には、各係止爪によって紙幣搬送路内が狭くなるため、通常の紙幣搬送時に紙幣詰まりを起こすなど、搬送不良を生じ易いという問題点があった。また、係止爪と同様に機能する回動自在な係止部材を紙幣搬送路内に設け、紙幣搬送時には紙幣の接触によって係止部材を回動させることにより、紙幣詰まりを防止するようにしたものもあるが、このような係止部材を用いたものは構造が複雑であるため、係止部材を紙幣搬送路の各通路面の両方に設けた場合には、部品点数が多くなり、コストが高くつくという問題点があった。
【０００７】
本発明は前記問題点に鑑みてなされたものであり、その目的とするところは、紙幣の引き抜きを確実に防止することができるとともに、部品点数が少なく安価に構成することのできる紙幣識別装置を提供することにある。
【０００８】
【課題を解決するための手段】
本発明は前記目的を達成するために、請求項１では、紙幣投入口から投入された紙幣を識別する識別手段と、紙幣を所定の紙幣搬送路を介して識別装置本体内の所定位置まで搬送する搬送手段と、所定位置まで搬送された紙幣を収納する紙幣収納部とを備えた紙幣識別装置において、前記紙幣搬送路を間にして対向する通路面の一方に他方の通路面に対して進退自在に設けられ、紙幣搬送路内の紙幣に紙幣搬送方向の反対方向に係止可能であって先端を他方の通路面側に圧接可能に付勢された係止部材を備え、他方の通路面には紙幣搬送路内の紙幣に紙幣搬送方向の反対方向に係止可能な段差部を紙幣搬送方向の少なくとも一箇所に設けている。これにより、収納された紙幣を引き戻すと、紙幣搬送路内の紙幣が係止部材に係止し、紙幣の引き抜きが阻止される。一方、紙幣が係止部材の先端と他方の通路面との間を通り抜けた場合には、紙幣が係止部材によって他方の通路面側に押圧されるため、紙幣が他方の通路面の段差部に係止し、紙幣の引き抜きが阻止される。この場合、他方の通路面の段差部によって紙幣の引き抜きが確実に阻止されることから、係止部材を他方の通路面側には設ける必要がない。また、通常の紙幣搬送時には紙幣の接触により係止部材が一方の通路面側に後退することから、紙幣詰まりを生ずることがない。
【０００９】
また、請求項２では、請求項１記載の紙幣識別装置において、前記段差部を他方の通路面における紙幣搬送方向の二箇所以上に設けている。これにより、請求項１の作用に加え、複数の段差部に紙幣を係止させることが可能となる。
【００１０】
また、請求項３では、請求項１または２記載の紙幣識別装置において、前記段差部を他方の通路面のほぼ全幅に亘って形成している。これにより、請求項１または２作用に加え、紙幣搬送路の幅方向何れに位置でも紙幣を段差部に係止させることが可能となる。
【００１１】
また、請求項４では、請求項１、２または３記載の紙幣識別装置において、前記他方の通路面に係止部材の先端側を受容する孔を設けている。これにより、請求項１、２または３の作用に加え、係止部材の先端側が他方の通路面の孔に受容されることから、係止部材に係止しようとする紙幣が係止部材の先端と他方の通路面との間を通り抜けることがない。
【００１２】
また、請求項５では、請求項１、２、３または４記載の紙幣識別装置において、前記係止部材を自重によって他方の通路面側に圧接可能に形成している。これにより、請求項１、２、３または４の作用に加え、係止部材が自重によって他方の通路面側に圧接することから、係止部材を他方の通路面側に圧接させるための付勢手段を別途必要としない。
【００１３】
【発明の実施の形態】
図１乃至図１０は本発明の一実施形態を示すもので、図１は紙幣識別装置の斜視図、図２はその側面断面図、図３はその要部側面断面図、図４は本体ケース及び投入口カバーの正面側分解斜視図、図５は本体ケース、搬送ユニット及び押圧ユニットの正面側分解斜視図、図６はその背面側分解斜視図、図７は第１の搬送ユニットの斜視図、図８は押圧ユニットの分解斜視図、図９及び図１０は係止部材の動作説明図である。
【００１４】
この紙幣識別装置は、識別装置本体をなす本体ケース１０と、本体ケース１０の前面に取付けられた投入口カバー２０と、投入された紙幣Ａを搬送する第１及び第２の搬送ユニット３０，４０と、投入された紙幣Ａを識別する識別部５０と、各搬送ユニット３０，４０によって所定位置まで搬送した紙幣Ａを後方に押圧する押圧ユニット６０と、押圧ユニット６０によって押圧された紙幣Ａを収容する紙幣収納ユニット７０とから構成されている。
【００１５】
本体ケース１０は背面側を開口した箱状に形成され、その前面下部には投入口カバー２０が取付けられる取付板１１がネジ１２によって固定されている。また、取付板１１には投入口カバー２０によって覆われる開口部１１ａが設けられ、開口部１１ａの上方には投入口カバー２０を係止するための孔１１ｂが幅方向二箇所に設けられている。
【００１６】
投入口カバー２０は正面形状が略四角形をなす合成樹脂の成型品からなり、その周縁には本体ケース１０側に当接するフランジ部２０ａが設けられている。投入口カバー２０の前面は前方に向かって下り傾斜をなすように突出しており、その前面下端側には紙幣投入口２０ｂが設けられている。また、投入口カバー２０の上端側及び下端側には本体ケース１０に係止する第１の係止部２１及び第２の係止部２２がそれぞれ幅方向一対ずつ設けられている。即ち、第１の係止部２１は上方のフランジ部２０ａに設けられ、取付板１１の孔１１ｂの縁部に係止するようになっている。また、第２の係止部２２は上下方向に弾性変形可能に形成され、取付板１１の開口部１１ａの下端縁に係止するようになっている。
【００１７】
第１の搬送ユニット３０は、第２の搬送ユニット４０の上方に配置されるユニット本体３１と、ユニット本体３１に回動自在に取付けられた複数のガイドローラ３２と、各ガイドローラ３２に巻き掛けられた無端状のベルト３３とからなり、各ガイドローラ３２及びベルト３３はユニット本体３１の両側部にそれぞれ設けられている。各ガイドローラ３２はユニット本体３１の背面側及び下面側に配置され、各ベルト３３によって互いに連動して回転するようになっている。また、ユニット本体３１の背面側上部に配置された各ガイドローラ３２は互いにシャフト３４を介して連結されており、その一方には歯車３５が取付けられている。即ち、各ガイドローラ３２は歯車３５から入力される回転力によってそれぞれ回動するようになっている。この場合、第１の搬送ユニット３０は押圧ユニット６０側に配置されたモータ３６によって駆動されるようになっており、モータ３６の回転力は押圧ユニット６０側に配置された歯車３７を介して第１の搬送ユニット３０の歯車３５に伝達されるようになっている。
【００１８】
第２の搬送ユニット４０は、第１の搬送ユニット３０の下方に配置されるユニット本体４１と、ユニット本体４１に回動自在に取付けられた複数のガイドローラ４２とからなり、各ガイドローラ４２はユニット本体４１の両側部にそれぞれ設けられている。ユニット本体４１は側面形状が略Ｌ字状をなすように形成され、第１の搬送ユニット３０のユニット本体３１の背面側及び下面側と対向することにより、ユニット本体３１との間に前後方向及び上下方向に延びる紙幣搬送路Ｂが形成されるようになっている。即ち、第１の搬送ユニット３０及び第２の搬送ユニット４０の対向面はそれぞれ通路面３１ａ，４１ａを形成している。
【００１９】
また、第２の搬送ユニット４０の通路面４１ａは紙幣Ａに係止する幅方向一対の係止部材４３を備え、各係止部材４３は第１の搬送ユニット３０の通路面３１ａに対して進退自在に設けられている。即ち、各係止部材４３は一端をユニット本体４１に支軸４３ａを介して回動自在に連結され、図示しない付勢手段によって第１の搬送ユニット３０の通路面３１ａ側に付勢されている。この場合、付勢手段としては、例えば支軸４３ａに巻回されたコイルスプリング等が用いられる。また、各係止部材４３は他端を紙幣搬送方向（上方）に向けて配置され、通路面３１ａ側に当接すると斜め上方に傾斜した状態となる。第１の搬送ユニット３０の通路面３１ａには各係止部材４３の他端（先端）側をそれぞれ受容する一対の孔３１ｂが設けられ、各係止部材４３は他端側を孔３１ｂ内に挿入させた状態で第１の搬送ユニット３０側に当接するようになっている。
【００２０】
更に、第１の搬送ユニット３０の通路面３１ａには、紙幣搬送路Ｂ内の紙幣Ａに紙幣搬送方向の反対方向に係止可能な段差部３１ｃが設けられ、段差部３１ｃは紙幣搬送方向の下流側が上流側よりも低くなるように通路面３１ａの全幅に亘って形成されている。この場合、段差部３１ｃは孔３１ｂのやや下方（紙幣搬送方向上流側）に配置されている。
【００２１】
識別部５０は、第２の搬送ユニット４０側に設けられた複数の発光体５１と、第１の搬送ユニット３０側に設けられた複数の受光体５２とからなり、各発光体５１及び各受光体５２は紙幣搬送路を間に一対ずつ対向するように配置されている。
【００２２】
押圧ユニット６０は、本体ケース１０内に配置されるユニット本体６１と、紙幣を押圧する押圧板６２と、一端を押圧板６１に回動自在に連結された連結部材６３と、連結部材６３の他端が回動自在に連結された回転板６４と、回転板６４を回転させるモータ６５と、回転板６４にモータ６５の回転力を伝達する複数の歯車６６とから構成されている。
【００２３】
ユニット本体６１はその内部に連結部材６３、モータ６５及び各歯車６６を収容するとともに、その下部には第１の搬送ユニット３０を駆動するモータ３６及び各歯車３７を収容している。ユニット本体６１の上部及び下部には、押圧板６２を前後方向に摺動自在に係合する係合筒６１ａがそれぞれ幅方向二箇所ずつに設けられ、各係合筒６１ａはユニット本体６１に前後方向に延びるように一体に形成されている。また、ユニット本体６１の背面側には紙幣収納ユニット７０を本体ケース１０に係止するための複数の係止片６１ｂが幅方向両端の上下二箇所ずつに設けられ、各係止片６１ｂは後方に突出するとともに、その先端側が上方に屈曲するように形成されている。また、ユニット本体６１内には、押圧板６２の駆動機構（モータ６５及び各歯車６６等）を覆うカバー６１ｃと、及び第１の搬送ユニット３０の駆動機構（モータ３６及び各歯車３７）を覆うカバー６１ｄがそれぞれ取付けられている。
【００２４】
押圧板６２の前面側にはユニット本体６１の各係合筒６１ａにそれぞれ係合する複数の係合軸６２ａが設けられ、各係合軸６２ａはユニット本体６１側に向かって前後方向に延びるように押圧板６２に一体に形成されている。即ち、各係合軸６２ａは各係合筒６１ａにそれぞれ前後方向に摺動自在に挿入され、押圧板６２が各係合筒６１ａに案内されながら前後方向に移動するようになっている。また、押圧板６２の中央部には連結部材６３が連結される連結軸６２ｂが設けられている。
【００２５】
連結部材６３は一端を押圧板６２の連結軸６２ｂに回動自在に連結され、その他端側には回転板６４を連結する長孔６３ａが設けられている。
【００２６】
回転板６４はユニット本体６１に回動自在に取付けられ、その回転軸には歯車６４ａが一体に設けられている。回転板６４には回転中心から偏心した位置に連結部材６３に連結される連結部６４ｂが突設され、連結部６４ｂは連結部材６３の長孔６３ａに挿入されている。
【００２７】
モータ６５はユニット本体６１の上部に配置され、その回転軸には歯車６５ａが取付けられている。
【００２８】
各歯車６６はユニット本体６１に回動自在に支持され、大径歯車及び小径歯車を同軸状に一体に形成した周知の歯車からなる。この場合、各歯車６６、回転板６４の歯車６４ａ及びモータ６５の歯車６５ａはそれぞれ平歯車からなり、モータ６５側及び回転板６４側の何れから入力される回転力によっても回転可能になっている。
【００２９】
紙幣収納ユニット７０は、前面、背面及び上面を開口した箱状のユニット本体７１と、ユニット本体７１の背面を覆うユニットカバー７２と、ユニット本体７１内に前後方向に移動自在に設けられた紙幣支持板７３と、紙幣支持板７３をユニット本体７１の前面側に押圧するスプリング７４と、ユニット本体７１の上面開口部を開閉する開閉カバー７５とからなる。
【００３０】
ユニット本体７１の前面側には押圧ユニット６０の各係止片６１ｂをそれぞれ係止する複数の係止部７１ａが幅方向両端の上下二箇所ずつに設けられ、各係止部７１ａは幅方向に延びる板状に形成されている。
【００３１】
ユニットカバー７２はユニット本体７１に組付けられ、ユニットカバー７２の幅方向両側面の上端側には開閉カバー７５を回動自在に連結する連結部７２ａがそれぞれ設けられている。
【００３２】
紙幣支持板７３はユニット本体７１の内形よりもやや小さい平板状に形成され、押圧ユニット６０の押圧板６２に対応するように配置されている。
【００３３】
スプリング７４は、図示を簡略したコイル状のバネからなり、紙幣支持板７３とユニットカバー７２との間に圧縮状態で介装されている。この場合、スプリング７４はユニットカバー７２から紙幣支持板７３に向かって巻径が徐々に大きくなるように形成されている。
【００３４】
開閉カバー７５はユニット本体７１及びユニットカバー７２の上端側を覆うように形成され、その幅方向両側面の後端側はユニットカバー７２の各連結部７２ａに回動自在に係合している。
【００３５】
以上のように構成された紙幣識別装置によれば、投入口カバー２０の紙幣投入口２０ｂに紙幣が投入されると、第１の搬送ユニット３０のモータ３６が作動し、第１及び第２の搬送ユニット３０，４０の各ガイドローラ３２，４２によって紙幣が押圧ユニット６０と紙幣収納ユニット７０との間まで搬送される。その際、搬送される紙幣が識別部５０の各発光体５１及び各受光体５２間を通過することにより、識別部５０によって紙幣の真贋及び金種が判定される。また、押圧ユニット６０と紙幣収納ユニット７０との間に紙幣が搬送されると、押圧ユニット６０のモータ６５が作動し、押圧板６２が紙幣収納ユニット７０側に移動する。これにより、紙幣が押圧板６２によって紙幣収納ユニット７０側に押圧され、紙幣収納ユニット７０内に搬入される。その際、押圧板６２はスプリング７４に抗して紙幣支持板７３を紙幣と共に後方に移動させ、押圧板６２が待機位置に戻ると、紙幣支持板７３もスプリング７４によって紙幣と共に前方に戻る。
【００３６】
押圧板６２によって紙幣を押圧する際、押圧ユニット６０のモータ６５が回転すると、その回転力が各歯車６６を介して回転板６４に伝達され、回転板６４が所定方向に回転する。これにより、回転板６４の回転運動が連結部材６３によって押圧板６２の往復運動に変換される。その際、押圧板６２の各係合軸６２ａがユニット本体６１の各係合筒６１ａ内をそれぞれ前後方向に摺動することにより、押圧板６２が各係合筒６１ａに案内されながら紙幣支持板７３との平行状態を保持したまま前後方向に移動する。
【００３７】
各搬送ユニット３０，４０によって紙幣Ａを搬送する際、図９（ａ）  に示すように紙幣搬送路Ｂの各通路面３１ａ，４１ａ間には係止部材４３が介在しているが、係止部材４３は先端を紙幣搬送方向に向けて配置されているため、図９（ｂ）  に示すように紙幣Ａとの接触によって一方の通路面４０ａに回動し、紙幣Ａの搬送を妨げることなく紙幣Ａの通過が許容される。
【００３８】
また、前記紙幣識別装置に対する不正行為として、端部にテープ等を接続した真正の紙幣Ａを投入し、識別部５０によって一旦真正と判別させて商品を購入した後、紙幣収納ユニットに収納された紙幣Ａをテープ等によって外部に引き抜こうとした場合には、以下のようにして紙幣Ａの引き抜きが阻止される。
【００３９】
即ち、収納された紙幣Ａを引き戻すと、図１０（ａ）  に示すように紙幣Ａの先端が係止部材４３に係止する。その際、係止部材４３は先端を紙幣搬送方向に向けて配置されているため、紙幣Ａに紙幣搬送方向の反対方向の力を加えても、係止部材４３は他方の通路面３１ａとの当接によって回動を規制され、紙幣Ａの引き抜きが阻止される。また、係止部材４３の先端側は孔３１ｂ内に受容されているため、紙幣Ａが係止部材４３の先端と他方の通路面３１ａとの間を通り抜けることはない。
【００４０】
一方、例えば紙幣Ａに接続したテープ（図示せず）を幅広に形成するなど、テープによって係止部材４３を一方の通路面４１ａ側に回動させた状態まま紙幣Ａを引き戻された場合には、紙幣Ａが係止部材４３の先端と他方の通路面３１ａとの間を通り抜け、係止部材４３によっては紙幣Ａの引き抜きを阻止することができない。しかし、この場合は紙幣Ａが係止部材４３によって他方の通路面３１ａ側に押圧されているため、図１０（ｂ）  に示すように紙幣Ａの先端が他方の通路面３１ａの段差部３１ｃに係止し、紙幣Ａの引き抜きが阻止される。
【００４１】
このように、本実施形態の紙幣識別装置によれば、紙幣搬送路Ｂを間に対向する通路面３１ａ，４１ａの一方に紙幣Ａに搬送方向とは反対方向に係止する係止部材４３を設けることにより、係止部材４３によって紙幣Ａの引き抜きを阻止するとともに、紙幣Ａが係止部材４３の先端と他方の通路面３１ａとの間を通り抜けた場合には、係止部材４３によって他方の通路面３１ａ側に押圧された紙幣Ａを他方の通路面３１ａに設けた段差部３１ｃに係止させることにより、段差部３１ｃによって紙幣Ａの引き抜きを阻止するようにしたので、紙幣Ａの引き抜きによる不正行為を確実に防止することができる。この場合、他方の通路面３１ａの段差部３１ｃによって紙幣Ａの引き抜きを阻止することができるので、係止部材４３を他方の通路面３１ａ側に設ける必要がなく、部品点数が少なく安価に構成することができる。また、係止部材４３は紙幣Ａとの接触によって回動するように構成されているので、紙幣詰まりを生ずることがなく、搬送不良を防止することができる。
【００４２】
また、前記段差部３１ｃを紙幣搬送路Ｂのほぼ全幅に亘って形成したので、紙幣搬送路Ｂの幅方向何れの位置でも紙幣Ａを段差部３１ｃに係止させることができ、段差部３１ｃとの係止による紙幣Ａの引き抜きをより確実に防止することができる。
【００４３】
更に、他方の通路面３１ａに係止部材４３の先端側を受容する孔３１ｂを設けたので、係止部材４３に係止しようとする紙幣Ａが係止部材４３の先端と他方の通路面３１ａとの間を通り抜けることがなく、係止部材４３との係止による紙幣Ａの引き抜きをより確実に防止することができる。
【００４４】
尚、前記実施形態では、他方の通路面３０ａの段差部３０ｃを一箇所に設けたものを示したが、紙幣搬送方向の二箇所以上に設けるようにすれば、複数の段差部３０ｃに紙幣Ａを係止させることができ、紙幣Ａの引き抜きをより確実に阻止することができる。
【００４５】
また、前記実施形態では、各係止部材４３を図示しない付勢手段によって第１の搬送ユニット３０の通路面３１ａ側に付勢するようにしたが、図１１に示すように係止部材４３の重心Ｇを支軸４３ａの中心から所定距離Ｌだけ通路面３１ａ側に偏位させることにより、係止部材４３を自重によって通路面３１ａ側に圧接可能するように形成することも可能である。これにより、係止部材４３を通路面３１ａ側に圧接させるための付勢手段を別途必要としないので、部品点数を少なくして安価に構成することができる。
【００４６】
【発明の効果】
以上説明したように、請求項１の紙幣識別装置によれば、紙幣搬送路の一方の通路面側に設けた係止部材との係止によって紙幣の引き抜きを阻止することができるとともに、紙幣が係止部材の先端と他方の通路面との間を通り抜けた場合でも紙幣の引き抜きを阻止することができるので、紙幣の引き抜きによる不正行為を確実に防止することができる。この場合、係止部材を他方の通路面側には設ける必要がないので、部品点数が少なく安価に構成することができるとともに、通常の搬送時には紙幣詰まりを生ずることもないので、搬送不良を確実に防止することができる。
【００４７】
また、請求項２の紙幣識別装置によれば、請求項１の効果に加え、複数の段差部に紙幣を係止させることができるので、紙幣の引き抜きをより確実に阻止することができる。
【００４８】
また、請求項３の紙幣識別装置によれば、請求項１または２の効果に加え、紙幣搬送路の幅方向何れの位置でも紙幣を段差部に係止させることができるので、段差部との係止による紙幣の引き抜きをより確実に防止することができる。
【００４９】
また、請求項４の紙幣識別装置によれば、請求項１、２または３の効果に加え、係止部材に係止しようとする紙幣が係止部材の先端と他方の通路面との間を通り抜けることがないので、係止部材との係止による紙幣の引き抜きをより確実に防止することができる。
【００５０】
また、請求項５の紙幣識別装置によれば、請求項１、２、３または４の効果に加え、係止部材を他方の通路面側に圧接させるための付勢手段を別途必要としないので、部品点数を少なくして安価に構成することができる。
【図面の簡単な説明】
【図１】本発明の一実施形態を示す紙幣識別装置の斜視図
【図２】紙幣識別装置の側面断面図
【図３】紙幣識別装置の要部側面断面図
【図４】本体ケース及び投入口カバーの正面側分解斜視図
【図５】本体ケース、搬送ユニット及び押圧ユニットの正面側分解斜視図
【図６】本体ケース、搬送ユニット及び押圧ユニットの背面側分解斜視図
【図７】第１の搬送ユニットの斜視図
【図８】押圧ユニットの分解斜視図
【図９】係止部材の動作説明図
【図１０】係止部材の動作説明図
【図１１】係止部材の側面図
【符号の説明】
１０…本体ケース、２０ｂ…紙幣投入口、３０…第１の搬送ユニット、３１ａ…通路面、３１ｂ…孔、３１ｃ…段差部、４０…第２の搬送ユニット、４１ａ…通路面、５０…識別部、６０…押圧ユニット、７０…紙幣収納ユニット、Ａ…紙幣、Ｂ…紙幣搬送路。
【図１】
2005004375.tif 000003
【図２】
2005004375.tif 000004
【図３】
2005004375.tif 000005
【図４】
2005004375.tif 000006
【図５】
2005004375.tif 000007
【図６】
2005004375.tif 000008
【図７】
2005004375.tif 000009
【図８】
2005004375.tif 000010
【図９】
2005004375.tif 000011
【図１０】
2005004375.tif 000012
【図１１】
2005004375.tif 000013